(57)【要約】【課題】重さの変更に係る交換作業が容易であるとともに交換用錘（調整用錘）の嵩張り、取り扱い上の面倒さを低減できる釣り用錘を提供する。【解決手段】釣り用錘１は、道糸としてのワイヤ３ｂが内部を通るパイプ部材５と、パイプ部材５に固定されたベース錘７と、パイプ部材５の径方向から着脱される調整用錘８、９と、パイプ部材５の外面に形成された雄ネジ５ｄに螺合するキャップ部材１１とを有している。調整用錘８、９を装着した後、キャップ部材１１の回転操作により調整用錘８、９はベース錘７との間で挟み付けられ、一体化される。パイプ部材５は潮の流れによる回転を防止するためにくの字状に曲げられている。【選択図】  図２
2020092632.tif 000002
【特許請求の範囲】
【請求項１】
道糸のハリス側に取り付けられる釣り用錘であって、前記道糸が内部を通るパイプ部材と、該パイプ部材に固定されるベース錘と、前記パイプ部材の軸方向に移動可能で前記ベース錘との間に調整用錘を挟み込んで一体に固定することが可能なキャップ部材とを有していることを特徴とする釣り用錘。
【請求項２】
請求項１に記載した釣り用錘において、
前記パイプ部材は、前記ベース錘が固定される位置から前記ハリス側と反対側に延びる錘支持部と、前記ベース錘が固定される位置から前記ハリス側に延びる延長部とからなり、前記延長部は前記錘支持部に対して所定角度折り曲げられ、前記パイプ部材の内部を通る前記道糸はワイヤからなることを特徴とする釣り用錘。
【請求項３】
請求項２に記載した釣り用錘において、
前記所定角度が、３０°〜６０°の範囲内の角度であることを特徴とする釣り用錘。
【請求項４】
請求項３に記載した釣り用錘において、
前記パイプ部材の軸方向両端部にそれぞれ前記ワイヤの挿通孔を有する封止部材が設けられ、これらの封止部材のうち少なくとも一方の封止部材は、他方の封止部材を通って進入した前記ワイヤの先端を前記挿通孔へ案内するガイド斜面を有していることを特徴とする釣り用錘。
【請求項５】
請求項４に記載した釣り用錘において、
前記ワイヤが、前記パイプ部材の軸方向両端からそれぞれ外側へ延びる延出部を有し、前記ハリス側の延出部には前記道糸側への位置ずれを制限するストッパが設けられ、反対側の延出部は魚の種類に応じて引きを感知できる長さに設定されていることを特徴とする釣り用錘。
【請求項６】
請求項１から５のいずれかに記載した釣り用錘において、
前記調整用錘を１個以上備え、該調整用錘は前記パイプ部材に対して前記軸方向と直交する径方向から着脱可能な構成を有し、前記キャップ部材は前記パイプ部材の外面に形成されたネジに螺合して回転操作により前記軸方向に移動可能であることを特徴とする釣り用錘。
【請求項７】
請求項６に記載した釣り用錘において、
前記調整用錘は、前記パイプ部材が貫通する軸孔と、該軸孔に連通し前記パイプ部材に対して前記径方向から着脱するための着脱用溝とを有していることを特徴とする釣り用錘。
【請求項８】
請求項７に記載した釣り用錘において、
前記調整用錘と前記ベース錘との間と、前記調整用錘間及び／又は前記調整用錘と前記キャップ部材との間の前記軸方向におけるいずれか一方側には、前記軸方向に突出する横ずれ防止用凸部が形成され、他方側には前記横ずれ防止用凸部に嵌合する横ずれ防止用凹部が形成されていることを特徴とする釣り用錘。
【請求項９】
請求項７又は８に記載した釣り用錘において、
前記調整用錘間の前記軸方向におけるいずれか一方側には、前記パイプ部材の軸周り方向の位置ずれを規制するための回り止め用凸部が形成され、他方側には前記回り止め用凸部に嵌合する回り止め用凹部が形成され、前記回り止め用凸部と前記回り止め用凹部とが嵌合したときに、前記軸方向で隣り合う各調整用錘の前記着脱用溝が前記軸周り方向に所定角度ずれた構成となることを特徴とする釣り用錘。
【請求項１０】
請求項２から５のいずれかに記載した釣り用錘において、
前記ベース錘の前記ハリス側にコマセ籠を吊るすためのループが設けられ、前記ループは前記パイプ部材の前記延長部が折れ曲がる方向と反対側に設けられていることを特徴とする釣り用錘。
【発明の詳細な説明】
【技術分野】
【０００１】
本発明は、投げ釣りや磯釣り等で道糸に取り付けて用いられる釣り用錘に関するものである。
【背景技術】
【０００２】
釣りには投げ釣りや磯釣り、あるいはオキアミを詰めた仕掛けカゴを用いるカゴ釣り等、種々の釣り方がある。一般的に釣り糸は、道糸の繰り出し方向先端部に錘を付け、錘の道糸と反対側にハリス及び釣り針を取り付ける構成となっている。
【０００３】
投げ釣りの場合には、満潮、干潮の違いによって潮の流れが変化するため、これに合わせて錘の重さを変える必要がある。また狙う魚の種類によって海面からの深さが異なるため、錘の重さを変える必要がある。
このように、釣りを行う環境の様々な条件の変化に応じてワンタッチで錘の重さを変えることが望ましく、その対応が釣果を左右する。しかしながら、釣りをしている途中での錘の重さの変更作業は大変である。
【０００４】
特許文献１には、仕掛けの切断等を伴うことなく錘部材の交換を迅速に行うことができる釣り用錘が提案されている。この釣り用錘は、釣り糸を外側から挿入できる縦溝を有する錘本体部と、該錘本体部の軸方向両端部に嵌合するキャップとを備えており、錘本体部からの釣り糸の離脱を上下のキャップで止める構成となっている。上下のキャップを外して錘本体部を取り替えた後再度キャップを嵌めることにより、錘本体部の交換を容易に行うことができる。
【先行技術文献】
【特許文献】
【０００５】
【特許文献１】特開２００４−２９００５１号公報
【発明の概要】
【発明が解決しようとする課題】
【０００６】
しかしながら、特許文献１に記載の構成では、錘本体部の交換作業自体は容易であるが、異なる重さの錘本体部を段階的に複数用意しなければならず、交換用錘本体部の重量が嵩張り、面倒であった。すなわち、実際には先に使用していた錘本体部よりも僅かに重い又は僅かに軽い重量の変更のみで済む場合でも、これらの変更重量以外の重量も再度入れ替えなければならず、重さの交換効率の観点からは非常に無駄であり、取り扱い上も嵩張って面倒であった。
【０００７】
本発明は上記従来の問題点に着目して創案されたもので、重さの変更に係る交換作業が容易であるとともに交換用錘（調整用錘）の嵩張り、取り扱い上の面倒さを低減できる釣り用錘の提供を、その目的とする。
【課題を解決するための手段】
【０００８】
本発明は、上記目的を達成するために為されたものであり、請求項１の発明は、道糸のハリス側に取り付けられる釣り用錘であって、前記道糸が内部を通るパイプ部材と、該パイプ部材に固定されるベース錘と、前記パイプ部材の軸方向に移動可能で前記ベース錘との間に調整用錘を挟み込んで一体に固定することが可能なキャップ部材とを有していることを特徴とする釣り用錘である。
【０００９】
請求項２の発明は、請求項１に記載した釣り用錘において、前記パイプ部材は、前記ベース錘が固定される位置から前記ハリス側と反対側に延びる錘支持部と、前記ベース錘が固定される位置から前記ハリス側に延びる延長部とからなり、前記延長部は前記錘支持部に対して所定角度折り曲げられ、前記パイプ部材の内部を通る前記道糸はワイヤからなることを特徴とする釣り用錘である。
【００１０】
請求項３の発明は、請求項２に記載した釣り用錘において、前記所定角度が、３０°〜６０°の範囲内の角度であることを特徴とする釣り用錘である。
【００１１】
請求項４の発明は、請求項３に記載した釣り用錘において、前記パイプ部材の軸方向両端部にそれぞれ前記ワイヤの挿通孔を有する封止部材が設けられ、これらの封止部材のうち少なくとも一方の封止部材は、他方の封止部材を通って進入した前記ワイヤの先端を前記挿通孔へ案内するガイド斜面を有していることを特徴とする釣り用錘である。
【００１２】
請求項５の発明は、請求項４に記載した釣り用錘において、前記ワイヤが、前記パイプ部材の軸方向両端からそれぞれ外側へ延びる延出部を有し、前記ハリス側の延出部には前記道糸側への位置ずれを制限するストッパが設けられ、反対側の延出部は魚の種類に応じて引きを感知できる長さに設定されていることを特徴とする釣り用錘である。
【００１３】
請求項６の発明は、請求項１から５のいずれかに記載した釣り用錘において、前記調整用錘を１個以上備え、該調整用錘は前記パイプ部材に対して前記軸方向と直交する径方向から着脱可能な構成を有し、前記キャップ部材は前記パイプ部材の外面に形成されたネジに螺合して回転操作により前記軸方向に移動可能であることを特徴とする釣り用錘である。
【００１４】
請求項７の発明は、請求項６に記載した釣り用錘において、前記調整用錘は、前記パイプ部材が貫通する軸孔と、該軸孔に連通し前記パイプ部材に対して前記径方向から着脱するための着脱用溝とを有していることを特徴とする釣り用錘である。
【００１５】
請求項８の発明は、請求項７に記載した釣り用錘において、前記調整用錘と前記ベース錘との間と、前記調整用錘間及び／又は前記調整用錘と前記キャップ部材との間の前記軸方向におけるいずれか一方側には、前記軸方向に突出する横ずれ防止用凸部が形成され、他方側には前記横ずれ防止用凸部に嵌合する横ずれ防止用凹部が形成されていることを特徴とする釣り用錘である。
【００１６】
請求項９の発明は、請求項７又は８に記載した釣り用錘において、前記調整用錘間の前記軸方向におけるいずれか一方側には、前記パイプ部材の軸周り方向の位置ずれを規制するための回り止め用凸部が形成され、他方側には前記回り止め用凸部に嵌合する回り止め用凹部が形成され、前記回り止め用凸部と前記回り止め用凹部とが嵌合したときに、前記軸方向で隣り合う各調整用錘の前記着脱用溝が前記軸周り方向に所定角度ずれた構成となることを特徴とする釣り用錘である。
【００１７】
請求項１０の発明は、請求項２から５のいずれかに記載した釣り用錘において、前記ベース錘の前記ハリス側にコマセ籠を吊るすためのループが設けられ、前記ループは前記パイプ部材の前記延長部が折れ曲がる方向と反対側に設けられていることを特徴とする釣り用錘である。
【発明の効果】
【００１８】
本発明によれば、重さの変更に係る交換作業が容易であるとともに交換用錘（調整用錘）の嵩張り、取り扱い上の面倒さを低減できる。
【図面の簡単な説明】
【００１９】
【図１】本発明の実施の形態に係る釣り用錘の斜視図で、投げ釣り時の空中姿勢を示す図である。
【図２】図１で示した釣り用錘の分解斜視図である。
【図３】図１で示した釣り用錘の浮き釣り時の状態を示す図である。
【図４】図１で示した釣り用錘のキャップ部材の縦断面図である。
【図５】図１で示した釣り用錘のベース錘を示す図で、（ａ）は全体斜視図、（ｂ）は平面図、（ｃ）は（ｂ）のＸ１−Ｘ１線での断面図である。
【図６】図１で示した釣り用錘の重い方の調整用錘を示す図で、（ａ）は全体斜視図、（ｂ）は平面図、（ｃ）は（ｂ）のＸ２−Ｘ２線での断面図である。
【図７】図１で示した釣り用錘の縦断面図である。
【図８】図１で示した釣り用錘の重さの変更パターンを示す縦断面図である。
【図９】図１で示した釣り用錘の最大重さでの構成を示す縦断面図である。
【図１０】図１で示した釣り用錘におけるパイプ部材の道糸側端部の構成を示す拡大断面図である。
【図１１】図１で示した釣り用錘におけるパイプ部材の道糸側端部の構成の拡大詳細図で、（ａ）は本発明のワイヤの通し易さの原理を説明する図、（ｂ）は本発明の構成を有しない場合の不具合を説明する図である。
【図１２】図１で示した釣り用錘におけるパイプ部材のハリス側端部の構成を示す断面図である。
【図１３】図１で示した釣り用錘における調整用錘の向きの違いを示す平面展開図である。
【図１４】図１で示した釣り用錘における回り止め構成を示す図で、（ａ）はベース錘の斜視図、（ｂ）は重い方の調整用錘の斜視図である。
【図１５】図１で示した釣り用錘におけるベース錘の横ずれ防止構成の変形例を示す図で、（ａ）は全体斜視図、（ｂ）は平面図、（ｃ）は（ｂ）のＸ３−Ｘ３線での断面図である。
【図１６】図１で示した釣り用錘における調整用錘の横ずれ防止構成の変形例を示す図で、（ａ）は全体斜視図、（ｂ）は平面図、（ｃ）は（ｂ）のＸ４−Ｘ４線での断面図である。
【図１７】図１５及び図１６で示した変形例の釣り用錘の一例の縦断面図である。
【発明を実施するための形態】
【００２０】
以下、本発明の実施の形態に係る釣り用錘を図面にしたがって説明する。
【００２１】
図１に示すように、本実施の形態に係る釣り用錘１は、道糸３のハリス２１側に取り付けられる釣り用錘であって、道糸３が内部を通るパイプ部材５と、該パイプ部材５に固定されるベース錘７と、パイプ部材５の軸方向に移動可能でベース錘７との間に調整用錘８、９を挟み込んで一体に固定することが可能な合成樹脂製のキャップ部材１１等を有している。パイプ部材５は海水に対する耐食性の高いステンレス製である。図１は、投げ釣り時の釣り用錘１の空中姿勢を示している。
【００２２】
パイプ部材５のハリス２１側端部は、パイプ部材５内への砂の流入を防止するために合成樹脂製の封止部材１３で封止されている。道糸３は、図示しない釣竿から繰り出される合成樹脂製の道糸３ａと、道糸３ａにサルカン１５を介して接続され、パイプ部材５の内部を摺動可能に通るステンレス製のワイヤ３ｂとからなる。
ワイヤ３ｂのハリス２１側端はサルカン１７を介して釣り針１９を有するハリス２１に接続されている。
【００２３】
ワイヤ３ｂは、パイプ部材５の軸方向両端からそれぞれ外側へ延びる上側延出部３ｂ−１、下側延出部３ｂ−２を有し、下側延出部３ｂ−２にはパイプ部材５内へのそれ以上の入り込みを制限するストッパ４が設けられている。すなわち、ストッパ４は釣り用錘１のハリス２１側への下限位置を制限しており、封止部材１３のハリス２１側には下側延出部３ｂ−２のワイヤ長さが必ず確保されることになる。ストッパ４は、例えば鉛玉等を潰して形成される。
【００２４】
投げ釣りの場合には、ワイヤ３ｂの下側延出部３ｂ−２がワイヤ弾性によって放物線状になるため、ハリス２１と道糸３との間の距離Ｘを大きくとることができ、ハリス２１と道糸３との絡みが高精度に防止される。特に風の強いときはハリス２１が釣竿側になびいて道糸３に絡み易いため、ワイヤ３ｂの下側延出部３ｂ−２の存在は有効である。
【００２５】
ワイヤ３ｂの上側延出部３ｂ−１の長さＷは、魚の当たり（引き）を感知するために設けられている。当たり感知用の可動長さＷは、ストッパ４が封止部材１３に当接している最大の状態から道糸３が引かれてサルカン１５がパイプ部材５に当接するまでの道糸３の動きを生じさせるものである。
可動長さＷは魚の種類に応じて設定されるもので、小型魚の場合には短く設定され、比較的大きな魚の場合には長く設定される。
可動長さＷ（上側延出部３ｂ−１）を設けることにより、釣り用錘１を動かさない程度の小魚等による弱い当たり（引き）でも感知することができる。
【００２６】
図２に示すように、パイプ部材５は、ベース錘７が固定される位置からハリス２１側と反対側に延びる錘支持部５ａと、ベース錘７が固定される位置からハリス２１側に延びる延長部５ｂとからなり、延長部５ｂは錘支持部５ａに対して所定角度θ折り曲げられている。すなわち、パイプ部材５は全体として「くの字状」に折り曲げられている。
所定角度θとしては、実用上２０°〜７０°の範囲が適正であり、特に３０°〜６０°の範囲が望ましい。２０°未満の場合には潮の流れで釣り用錘１が転がり易く、７０°を超える場合にはパイプ部材５へのワイヤ３ｂの挿通が困難となるからである。符号５ｃはパイプ部材５の貫通孔を示している。
パイプ部材５をくの字状とすることにより、潮の流れによる釣り用錘１の転がりを防止することができるとともに、道糸３とハリス２１との絡みを防止することができる利点がある。
【００２７】
ベース錘７は、パイプ部材５の錘支持部５ａのハリス２１側端部に固定された座金２５で位置決めされて接着固定されている。ベース錘７のハリス２１側の端面にはコマセ籠２３（図３参照）を吊るすためのループ２７が埋設状態に設けられ、ループ２７はパイプ部材５の延長部５ｂが折れ曲がる方向と反対側に設けられている。このようにすることによってコマセ籠２３と道糸３との絡みを防止することができる。
図３は浮き釣り時の釣り用錘１の使用状態を示している。道糸３には不図示の浮きが接続されており、釣り用錘１は浮きの浮力で海中に垂れ下がっている。
【００２８】
図２に示すように、パイプ部材５の錘支持部５ａの外面には、釣竿側（ハリス２１側と反対側で、道糸３側と同義）の端から大部分の範囲に亘ってキャップ部材１１を移動させるための雄ネジ５ｄが形成されている。錘支持部５ａの釣竿側端部の内方には、ブッシュタイプの封止部材２９が嵌め込まれている。
【００２９】
キャップ部材１１は、釣竿側が円錐状をなす形状を有し、ハリス２１側の外面には回転操作を容易にするための滑り止め用溝１１ａが周方向に等間隔に複数形成されている（図１、図３では省略）。
図４に示すように、キャップ部材１１の内部にはパイプ部材５に挿通するための貫通孔１１ｂが形成されており、その一部にはパイプ部材５の雄ネジ５ｄに螺合する雌ネジ１１ｃが形成されている。キャップ部材１１はパイプ部材５に螺合している状態で回転操作により軸方向の位置を調整することができる。これにより、ベース錘７と調整用錘８、９を一体化する場合の軸方向の締め付けと、調整用錘８、９を交換する場合の緩め操作を任意に行うことができる。
【００３０】
図５に示すように、ベース錘７の道糸３側の端面には、パイプ部材５の軸方向に突出する半球状の横ずれ防止用凸部７ａが形成され、中心にはパイプ部材５に挿通するための貫通孔７ｂが形成されている。
図６に示すように、調整用錘８は全体として円柱状の外観を有し、道糸３側（一方側）の端面には軸方向に突出する半球状の横ずれ防止用凸部８ａが形成され、ハリス２１側（他方側）の端面には、ベース錘７の横ずれ防止用凸部７ａに嵌合する横ずれ防止用凹部８ｂが形成されている。
また、調整用錘８の中心にはパイプ部材５が貫通する軸孔８ｃが形成されており、パイプ部材５に対してその径方向から着脱するための着脱用溝８ｄが軸孔８ｃに連通して形成されている。
図示しないが、調整用錘９は調整用錘８と同じ構成で高さが異なるだけである。調整用錘９の高さは調整用錘８の１／２であり、重量も調整用錘８の半分である。
【００３１】
図２に示すように、調整用錘８、９はこれらの着脱用溝８ｄ、９ｄを介してパイプ部材５の径方向の軸回り３６０°の任意の位置から装着され、装着後キャップ部材１１を回転操作して軸方向に締め付けて一体化される。図７は一体化後の断面図である。
キャップ部材１１の下端面には、調整用錘９の横ずれ防止用凸部９ａが嵌合する横ずれ防止用凹部１１ｄが形成されている。
横ずれ防止用凸部と横ずれ防止用凹部の大きさは全ての調整用錘について同じであるので、最も釣竿側に位置する調整用錘の横ずれ防止用凸部とキャップ部材１１の横ずれ防止用凹部１１ｄとの嵌合状態及び最もハリス２１側に位置する調整用錘の横ずれ防止用凹部とベース錘７の横ずれ防止用凸部７ａとの嵌合状態は調整用錘の数の変化に拘わらず一定である。
【００３２】
調整用錘８をパイプ部材５の径方向から装着し、軸方向にずらしてその横ずれ防止用凹部８ｂをベース錘７の横ずれ防止用凸部７ａに嵌合した後、調整用錘９を径方向から装着し、その横ずれ防止用凹部９ｂを調整用錘８の横ずれ防止用凸部８ａに嵌合する。その後キャップ部材１１を回転させてその横ずれ防止用凹部１１ｄが調整用錘９の横ずれ防止用凸部９ａに嵌合した状態で締め付け、これらを一体化する。
ベース錘７と調整用錘８との間、調整用錘８と調整用錘９との間、調整用錘９とキャップ部材１１との間にはそれぞれ軸方向に凹凸の嵌合構造が存在するので、キャップ部材１１で締め付けた後の調整用錘８、９の横ずれ（パイプ部材５の径方向のずれ）が防止される。
【００３３】
図７に示す状態で、例えばキャップ部材１１を緩めて調整用錘９を別の調整用錘に交換する場合、調整用錘８とベース錘７は嵌合しているので、交換作業中調整用錘８は脱落しにくい。凹凸の嵌合構造が存在しない場合、キャップ部材１１を緩めた段階で交換目的外の調整用錘も脱落し易くなるが、本実施の形態ではその心配がなく、交換作業が容易、迅速となる。
【００３４】
本実施の形態における調整用錘８の重量は３７．５ｇで、ベース錘７も同じ重さである。調整用錘９は上述のように調整用錘８の１／２で、１８．７５ｇである。２種類の調整用錘８、９を数個ずつ用意することにより、釣り用錘１の重さを様々な重さに変更することができる。
例示すると、図８（ａ）は調整用錘を有しないベース錘７だけのタイプ（以下、１０号型という）、（ｂ）は１０号型に調整用錘９を追加した１５号型、（ｃ）は１０号型に調整用錘８を２個追加した３０号型、（ｄ）は１０号型に調整用錘８を２個、調整用錘９を１個追加した３５号型である。図９は、１０号型に調整用錘８を４個追加した５０号型（最大重さ）を示している。
【００３５】
重さの調整パターンは上記に例示したものに限らず、表１に示すように、様々なパターンが存在する。表１において、数値の１０を四角で囲んだものはベース錘７の重さを、数値の１０は調整用錘８の重さを、数値の５は調整用錘９の重さをそれぞれ示している。表１から分かる通り、本実施の形態における釣り用錘１は、２５号型を例示している。
【００３６】
【表１】
2020092632.tif 000003
【００３７】
図９に示すように、５０号型ではキャップ部材１１がパイプ部材５の軸方向釣竿側端部（封止部材２９の領域）に位置するので、干渉を避けるために封止部材２９は埋め込み型としている。
図１０に示すように、封止部材２９は軸方向中央部分がパイプ部材５の収容部内径ｄ４（２ｍｍ）よりも若干大きく設定されており、パイプ部材５内に打ち込んで接着するようになっている。パイプ部材５のワイヤ挿通孔５ｃの径ｄ１は１ｍｍであり、パイプ部材５の外径ｄ２は４ｍｍである。ワイヤ３ｂは、外径が０．２７〜０．４５ｍｍの太さである。封止部材２９のワイヤ挿通孔２９ｂの径ｄ３は０．６〜０．８ｍｍであり、封止部材２９の外径ｄ４は２ｍｍである。これにより、パイプ部材５の道糸３側端部は砂のパイプ内への流入を抑制する構造となっている。
【００３８】
パイプ部材５と封止部材２９との間には、互いに相手側に向ってテーパ状に広がるガイド斜面５ｅ、２９ａが周方向全体に亘って形成されている。上記のように、封止部材２９のワイヤ挿通孔２９ｂの径はパイプ部材５内に砂等が流入しないようにパイプ部材５の貫通孔５ｃよりも小さく設定されている。
何も形状的な加工を施さない状態で封止部材２９をパイプ部材５の収容部に打ち込むと、図１１（ｂ）に示すように段差２９ｃが形成される。ワイヤ３ｂがハリス２１側から挿入された場合、その先端は、パイプ部材５が途中で折れ曲がっているためにワイヤ弾性によって貫通孔５ｃの内周面を擦りながら移動し、これは挿入側からコントロールすることはできない。その結果、必ず段差２９ｃに突き当たり道糸３側に抜けることができない。
【００３９】
本実施の形態では、図１１（ａ）に示すように、ワイヤ３ｂの先端をワイヤ挿通孔２９ｂへ案内するガイド斜面２９ａが形成されているので、ワイヤ３ｂの先端はこのガイド斜面２９ａで円滑に案内されてワイヤ挿通孔２９ｂを通り、スムーズに道糸３側に抜ける。
図１１に太い線で示すワイヤ３ｂは、ワイヤそのものではなくワイヤ３ｂの先端の軌跡を模式的に示している。
このワイヤ案内において、パイプ部材５側のガイド斜面５ｅは、道糸３側からワイヤ３ｂを挿入する場合に、パイプ部材５側の段差部分に引っ掛かることを無くすために設けている。すなわち、ワイヤ３ｂをスムーズにパイプ部材５内に入れることができるようにパイプ部材５側にもガイド斜面５ｅを設けている。
【００４０】
図１２に示すように、パイプ部材５の延長部５ｂにおけるハリス２１側端部の外面には雄ネジ５ｆが形成されている。これに対応する封止部材１３の内周面にはネジは形成されておらず、その材質を利用して強制的に螺合することにより嵌め込まれている。封止部材１３はワイヤ挿通孔１３ａを有し、その径ｄ３の大きさは封止部材２９のワイヤ挿通孔２９ｂと同じである。これにより、パイプ部材５のハリス２１側端部は砂のパイプ内への流入を抑制する構造となっている。封止部材１３の外径ｄ５は６ｍｍである。符号１２は空隙部を示している。
【００４１】
パイプ部材５と封止部材１３との間にも上記と同様に、互いに相手側に向ってテーパ状に広がるガイド斜面５ｇ、１３ｂが周方向全体に亘って形成されている。
何も形状的な加工を施さない場合には、封止部材１３とパイプ部材５との境界部位において、図１１（ｂ）で説明したのと同様の不具合が生じる。
本実施の形態では封止部材２９と同様に、ワイヤ３ｂの先端をワイヤ挿通孔１３ａへ案内するガイド斜面１３ｂが形成されているので、ワイヤ３ｂが道糸３側から挿入されてパイプ部材５の折れ曲がりの影響を受けても、ワイヤ３ｂの先端はガイド斜面１３ｂで円滑に案内されてワイヤ挿通孔１３ａを通り、スムーズにハリス２１側に抜ける。
このワイヤ案内において、パイプ部材５側のガイド斜面５ｇは、ハリス２１側からワイヤ３ｂを挿入する場合に、パイプ部材５側の段差部分に引っ掛かることを無くすために設けている。すなわち、ワイヤ３ｂをスムーズにパイプ部材５内に入れることができるようにパイプ部材５側にもガイド斜面５ｇを設けている。
【００４２】
上記のように本実施の形態では、ワイヤ３ｂを道糸３側とハリス２１側のいずれから挿入しても、パイプ部材５内を円滑に挿し通すことができるように構成されている。ガイド斜面を封止部材１３、２９のいずれか一方に設けて、パイプ部材５に対するワイヤ３ｂの挿通方向を限定することも可能である。
ワイヤ３ｂは経時使用で捩れたり曲がったり、あるいは汚れたりするので、交換する必要があるが、その場合、本実施の形態によればパイプ部材５の両端部のうち何れの側からも円滑に挿入できるので、交換が容易で使用性の向上を図れる。
【００４３】
上記のように、重さの調整（交換）を容易・迅速とするために、パイプ部材５の径方向から調整用錘８、９を着脱する構成としている。調整用錘８、９は釣り用錘１の重さを変える場合の実質的な変更重量のみの大きさであるので、その都度錘全体を交換する従来方式に比べて交換作業が容易であるとともに、ポケット等における調整用錘の保管も重量、スペースの両面から有利となる。
【００４４】
調整用錘８、９の交換において、着脱用溝８ｄ、９ｄが同じ方向を向くと錘全体の重心が偏って、特に投げ釣り時の錘の飛翔バランスが不安定となり、狙ったポイントから外れ易い。
この問題を解消するために、図１３に示すように、パイプ部材５の軸方向（矢印Ｓ方向）に沿って着脱用溝８ｄ、９ｄが交互に逆向き（１８０°反対向き）となるように装着後に向きを調整する。図１３では図８（ｄ）の３５型の場合を示している。
この場合、図１４（ａ）に示すように、ベース錘７の道糸３側の端面に断面山形の回り止め用凸部７ｃを形成し、図１４（ｂ）に示すように、調整用錘８のハリス２１側の端面に着脱用溝８ｄと直交する方向に延び、回り止め用凸部７ｃに嵌合する回り止め用凹部８ｅを形成するとともに、道糸３側の端面に回り止め用凸部７ｃと同様の回り止め用凸部８ｆを形成する。
同様に、調整用錘９のハリス２１側端面に着脱用溝９ｄと直交する方向に延び、回り止め用凸部８ｆに嵌合する回り止め用凹部を形成するとともに、道糸３側端面に回り止め用凸部８ｆと同様の回り止め用凸部を形成する。
【００４５】
このように、ベース錘７と調整用錘８との間、調整用錘８と調整用錘９との間で、回り止め用凸部と回り止め用凹部とを嵌合する構成とすれば、着脱用溝８ｄ、９ｄの向きを常に１８０°異なった状態（反対向き）に維持できる。
これにより錘調整作業に伴う着脱用溝８ｄ、９ｄの位置ずれや、キャップ部材１１を締め付けた後の経時の緩みによる着脱用溝８ｄ、９ｄの位置ずれを防止でき、錘のバランス精度を一定に維持することができる。
なお、着脱用溝８ｄ、９ｄはキャップ部材１１による締め付け（摩擦力）で位置固定されるので、回り止め用凸部及び回り止め用凹部は必ずしも必要ではない。
【００４６】
上述した通り、本実施の形態に係る釣り用錘１は、パイプ部材５内に道糸としてのワイヤ３ｂを通して所定長さ位置ずれする可動構成としたので、釣り用錘１を動かせない当たり（引き、反応）を有する小魚でも高精度に感知することができる。パイプ部材５をくの字状に曲げることによって、潮の流れが速い場合も海底での転がり（釣りポイントのずれ）を防止できるとともに、道糸３に対するハリス２１やコマセ籠２３の絡みを防止することができる。
【００４７】
また、キャップ部材１１を錘よりも軽い合成樹脂材で形成しているので、釣り用錘１の長さ方向（パイプ部材５の軸方向）における重心位置を、ベース錘７や調整用錘８、９からなる錘側に位置付けることができる。このため、道糸３の巻き上げ時錘はキャップ部材１１側から浮き上がり易く、錘の根掛りの危険を少なくすることができる。
また、調整用錘の種類を大小２種類としているので、重さの増減の組み合わせパターンの認識が単純・容易（交換作業が容易）となる。
道糸としてのワイヤ３ｂをパイプ部材５内に通す構成としているので、ワイヤ３ｂの汚れ、捩れ、傷を防ぐことができる。また、ガイド斜面１３ｂ、２９ａを有する構成によりワイヤ３ｂの交換が極めてスムーズとなる。
【００４８】
横ずれ防止用凸部及び横ずれ防止用凹部の形状は、上記の半球状に限定されない。例えば図１５に示すように、ベース錘７’の横ずれ防止用凸部７ｄは断面外形が台形状となるテーパ状の円筒形状としてもよい。図１６はこれに対応した調整用錘８’を示しており、符号８ｇは横ずれ防止用凸部を、８ｈは横ずれ防止用凹部を示している。図１７はこの例による５０号型の釣り用錘１’を示している。重さを変える場合の作業の容易性等は上記の例と同じである。
本例においても図１４で示した回り止め用凸部と回り止め用凹部を設ける構成としてもよい。
横ずれ防止用凸部を半球状とした場合、エッジが存在する台形型に比べて交換作業が滑らかとなる利点を有する。
【００４９】
以上、本発明の実施の形態について詳述してきたが、具体的構成は、この実施の形態に限られるものではなく、本発明の要旨を逸脱しない範囲における設計の変更などがあっても発明に含まれる。
例えば、上記では調整用錘を２種類としたが３種類以上の組み合わせとしてもよい。また、魚の種類によっては引きを感知する所定長さＷが無い構成としてもよい。また、キャップ部材１１の材質は合成樹脂製に限らず、錘よりも軽い軽金属製としてもよい。さらにまた、パイプ部材５は「くの字状」ではなく直線状としてもよい。横ずれ防止用凸部及び横ずれ防止用凹部の形状も上記の半球状やテーパ円筒状に限定されず、例えば四角柱や四角錐でもよい。また、回り止め用凸部及び回り止め用凹部も上記山形形状に限定されず、例えば断面が四角形の凸条や凹溝でもよい。
また、ワイヤ３ｂの代わりにナイロン等の合成樹脂製のテグスを用いてもよいのは勿論である。
【符号の説明】
【００５０】
１…釣り用錘          ３…道糸            ３ｂ…ワイヤ    ３ｂ−１…上側延出部
３ｂ−２…下側延出部  ５…パイプ部材      ５ａ…錘支持部  ５ｂ…延長部
５ｄ…雄ネジ          ７、７’…ベース錘  ７ａ、８ａ、９ａ…横ずれ防止用凸部
７ｃ、８ｆ…回り止め用凸部      ８、８’、９…調整用錘
８ｂ、９ｂ、１１ｄ…横ずれ防止用凹部      ８ｃ、９ｃ…軸孔
８ｄ、９ｄ…着脱用溝            ８ｅ…回り止め用凹部    １１…キャップ部材
１３ｂ、２９ａ…ガイド斜面      １３、２９…封止部材      １３ａ、２９ｂ…挿通孔
２１…ハリス          ２３…コマセ籠      ２７…ループ
【図１】
2020092632.tif 000004
【図２】
2020092632.tif 000005
【図３】
2020092632.tif 000006
【図４】
2020092632.tif 000007
【図５】
2020092632.tif 000008
【図６】
2020092632.tif 000009
【図７】
2020092632.tif 000010
【図８】
2020092632.tif 000011
【図９】
2020092632.tif 000012
【図１０】
2020092632.tif 000013
【図１１】
2020092632.tif 000014
【図１２】
2020092632.tif 000015
【図１３】
2020092632.tif 000016
【図１４】
2020092632.tif 000017
【図１５】
2020092632.tif 000018
【図１６】
2020092632.tif 000019
【図１７】
2020092632.tif 000020